(57)【要約】【課題】遊技領域に設けられた始動入賞口等の球流入部へ遊技球を効率良く誘導することができるようにする。【解決手段】遊技機１０は、遊技領域５１を流下する遊技球を受け入れて転動可能である球転動領域部７４と、遊技球を受け入れ可能な球流入部２５と、球転動領域部７４を転動する遊技球を誘導する球誘導領域部８０と、球誘導領域部８０によって誘導された遊技球を球流入部２５まで移送する移送部材９０と、を備える。移送部材９０は、球誘導領域部８０によって誘導された遊技球を載置する第１載置部９６と、球誘導領域部８０によって誘導されることなく遊技領域５１を流下した遊技球を載置する第２載置部９７と、第１載置部９６及び第２載置部９７に載置された遊技球を球流入部２５へと流下させる誘導球流下部９８と、を具備する。【選択図】図５
2011000179.tif 000002
【特許請求の範囲】
【請求項１】
遊技領域を流下する遊技球を受け入れて転動可能である球転動領域部と、
遊技球を受け入れ可能な球流入部と、
前記球転動領域部を転動する遊技球を誘導する球誘導領域部と、
前記球誘導領域部によって誘導された遊技球を前記球流入部まで移送する移送部材と、を備え、
前記移送部材は、
前記球誘導領域部によって誘導された遊技球を載置する第１載置部と、
前記球誘導領域部によって誘導されることなく前記遊技領域を流下した遊技球を載置する第２載置部と、
前記第１載置部及び前記第２載置部に載置された遊技球を前記球流入部へと流下させる誘導球流下部と、
を具備することを特徴とする遊技機。
【請求項２】
前記移送部材は、前記球誘導領域部によって誘導されて前記第１載置部に載置される遊技球の自重に基づき、当該遊技球を前記球流入部近傍まで移送することを特徴とする請求項１に記載の遊技機。
【請求項３】
前記移送部材は前後方向に回動可能に設けられ、
前記移送部材は、当該移送部材の前後方向の回動によって、遊技球を載置していない第１状態から遊技球を載置して前記球流入部近傍まで回動する第２状態に変換可能であり、
前記球誘導領域部によって誘導された遊技球の自重が前記第１状態にある前記移送部材の前記第１載置部に加わることで、該移送部材が前記第１状態から前記第２状態に変換することを特徴とする請求項２に記載の遊技機。
【請求項４】
前記誘導球流下部は、前記第２状態にある前記移送部材の前記第１載置部の前方、かつ、前記第２載置部よりも前記球流入部の直上側に配置され、
前記移送部材が前記第２状態となった時には、該移送部材の前記第１載置部に載置される遊技球の重心が前記誘導球流下部側へと移動するようにしたことを特徴とする請求項３に記載の遊技機。
【請求項５】
前記移送部材は、前記第１状態から前記第２状態へ変換する際に、遊技領域を流下する他の遊技球が当該移送部材の前方を流下したときは、前記第１載置部に遊技球を載置した状態で第２状態への変換を遅延され、
前記移送部材が前記第２状態に変換された状態で、遊技領域を流下する他の遊技球が当該移送部材へ向けて流下したときは、前記第２載置部に当該遊技球が載置されることを特徴とする請求項４に記載の遊技機。
【請求項６】
前記第２載置部は、前記誘導球流下部へ向けて下り傾斜する傾斜面を有することを特徴とする請求項５に記載の遊技機。
【発明の詳細な説明】
【技術分野】
【０００１】
本発明は、遊技球が流下する遊技領域を備えた遊技機に関する。
【背景技術】
【０００２】
従来より知られた遊技機として、遊技球が流下する遊技領域に、変動表示装置の表示面を臨ませ、更に、始動入賞口が遊技領域に設けられたものが知られている。かかる遊技機では、遊技球が始動入賞口に入賞すると、変動表示装置の表示面で複数種類の図柄（識別情報）を変動表示する変動表示ゲームが開始し、この変動表示ゲームの結果として停止表示された図柄の組み合わせ等よりなる結果態様が、予め定めた特別結果態様であると、遊技者に多大な遊技価値を与える特別遊技を発生させる。
【０００３】
この種の遊技機においては、変動表示ゲームの結果態様が特別結果態様となって特別遊技の発生することが遊技者にとっての関心事である。そのため、遊技者は、変動表示ゲームの開始条件となる始動入賞口へ遊技球が入賞するか否か注目することになる。その始動入賞口までの遊技球の流下態様に関して、球誘導部材によって遊技球を誘導し、趣向性を向上させる遊技機が開発されている（例えば特許文献１参照）。
【先行技術文献】
【特許文献】
【０００４】
【特許文献１】特開２００３−９３６３１号公報
【発明の概要】
【発明が解決しようとする課題】
【０００５】
しかしながら、特許文献１に記載の遊技機では、球誘導部材から流下した遊技球が始動入賞口へ到達するまでの間に側方から別の遊技球が流下してきた場合、球誘導部材に載置された遊技球がその別の遊技球によって弾き飛ばされる可能性がある。そのため、せっかく球誘導部材によって遊技球が誘導されたとしても、始動入賞口への入賞が阻止されてしまい、遊技者の趣向性を向上させることができない現象が起こり得た。
また、球誘導部材から流下する遊技球が始動入賞口へ入賞するまで、別の遊技球が側方から流下しないように構成することとも考えられるが、そのように構成すると、側方から流下してきた別の遊技球が始動入賞口へ入賞する可能性が完全に失われてしまうという問題が発生してしまう。
そこで、本発明は、遊技領域に設けられた始動入賞口等の球流入部へ遊技球を効率良く誘導することができるようにすることを目的とする。
【課題を解決するための手段】
【０００６】
以上の課題を解決するため、請求項１に記載の発明は、遊技領域を流下する遊技球を受け入れて転動可能である球転動領域部と、遊技球を受け入れ可能な球流入部と、前記転動領域部を転動する遊技球を誘導する球誘導領域部と、前記球誘導領域部によって誘導された遊技球を前記球流入部まで移送する移送部材と、を備え、前記移送部材は、前記球誘導領域部によって誘導された遊技球を載置する第１載置部と、前記球誘導領域部によって誘導されることなく前記遊技領域を流下した遊技球を載置する第２載置部と、前記第１載置部及び前記第２載置部に載置された遊技球を前記球流入部へと流下させる誘導球流下部と、を具備することを特徴とする。
【０００７】
請求項１に記載の発明によれば、転動領域部を転動する遊技球が球誘導領域部によって移送部材の第１載置部に載置されて、その遊技球が第１載置部から誘導球流下部を通って球流入部へと流下する。一方、球誘導領域部によって誘導されることなく遊技領域を流下した遊技球は第２載置部に載置されて、その遊技球が第２載置部から誘導球流下部を通って球流入部へと流下する。従って、球誘導領域部によって誘導される遊技球及び球誘導領域部によって誘導されることなく遊技領域を流下した遊技球を、球流入部へ効率よく誘導することができる。
【０００８】
請求項２に記載の発明は、請求項１に記載の遊技機であって、前記移送部材は、前記球誘導領域部によって誘導されて前記第１載置部に載置される遊技球の自重に基づき、当該遊技球を前記球流入部近傍まで移送することを特徴とする。
【０００９】
請求項２に記載の発明によれば、移送部材による遊技球の移送は、第１載置部に載置される遊技球の自重によるものであるから、移送部材を駆動するための駆動源を設けなくても済む。そのため、駆動源の制御がなくとも、第１載置部に載置された遊技球を移送部材によって球流入部近傍まで移送することができる。
また、移送部材を駆動するための駆動源、制御装置、センサ等を設ける必要がないので、コストを抑えることができる。
【００１０】
請求項３に記載の発明は、請求項２に記載の遊技機であって、前記移送部材は前後方向に回動可能に設けられ、前記移送部材は、当該移送部材の前後方向の回動によって、遊技球を載置していない第１状態から遊技球を載置して前記球流入部近傍まで回動する第２状態に変換可能であり、前記球誘導領域部によって誘導された遊技球の自重が前記第１状態にある前記移送部材の前記第１載置部に加わることで、該移送部材が前記第１状態から前記第２状態に変換することを特徴とする。
【００１１】
請求項３に記載の発明によれば、移送部材が第１状態から第２状態に変換可能に設けられているから、移送部材が第１状態にある場合に、球誘導領域部によって誘導された遊技球の自重が移送部材の第１載置部に加わり、移送部材が第１状態から第２状態に変換する。そのため、移送部材の第１状態から第２状態への変換が遊技球の自重によるものであるから、駆動源を設けなくとも遊技球を球流入部近傍まで移送することができるとともに、コストを抑えることができる。
【００１２】
請求項４に記載の発明は、請求項３に記載の遊技機であって、前記誘導球流下部は、前記第２状態にある前記移送部材の前記第１載置部の前方、かつ、前記第２載置部よりも前記球流入部の直上側に配置され、前記移送部材が前記第２状態となった時には、該移送部材の前記第１載置部に載置される遊技球の重心が前記誘導球流下部側へと傾くようにしたことを特徴とする。
【００１３】
請求項４に記載の発明によれば、移送部材が第２状態となった時には、第１載置部に載置される遊技球の重心が誘導球流下部側へと傾くようにしたので、移送部材が第２状態にとなったタイミングで、第１載置部に載置された遊技球が誘導球流下部側へと動きだし、球流入部への遊技球の流下が開始される。そのため、遊技球を効率よく球流入部へ誘導することができる。
また、移送部材が第２状態にとなったタイミングで、第１載置部に載置された遊技球が誘導球流下部側へと動きだすので、第２載置部に別の遊技球が載置されても、第１載置部に載置された遊技球がその別の遊技球によって誘導球流下部側へ押し出される。そのため、第１載置部に載置された遊技球がその別の遊技球によって弾き出されず、第１載置部に載置された遊技球を効率よく球流入部へ誘導することができる。
第２載置部に載置された別の遊技球は、第１載置部に載置された遊技球に続けて、誘導球流下部を通って、球流入部へ流下する。従って、第１載置部に載置された遊技球も、第２載置部に載置された遊技球も効率よく球流入部へ誘導することができる。そのため、遊技者にとっての興趣性を高めることができる。
【００１４】
請求項５に記載の発明は、請求項４に記載の遊技機であって、前記移送部材は、前記第１状態から前記第２状態へ変換する場合に、遊技領域を流下する遊技球が前記移送部材の前方を流下したときは、該第１載置部に遊技球を載置した状態で第２状態への変換を遅延され、前記移送部材が前記第２状態に変換された場合に、遊技領域を流下する遊技球が前記移送部材へ向けて流下したときは、前記第２載置部に当該遊技球が載置されることを特徴とする。
【００１５】
請求項５に記載の発明によれば、移送部材が第１状態になっている時に、遊技球が第１載置部に載置され、移送部材が第２状態に変換しようとしても、遊技領域を流下する遊技球が移送部材の前方を流下するので、移送部材の回動が遊技球によってブロックされる。その後、移送部材の前方にある遊技球が移送部材の前から外れると、第１載置部に載置された遊技球によって移送部材が第２状態に変換し、第１載置部に載置された遊技球が球流入部へと流下する。
移送部材が第２状態に変換された場合に、遊技領域を流下する遊技球が移送部材へ向けて流下して第２載置部に載置されるから、その遊技球が誘導球流下部を通って、球流入部へ流下する。
そのため、遊技者にとっての興趣性を高めることができる。
【００１６】
請求項６に記載の発明は、請求項５に記載の遊技機であって、前記第２載置部は、前記誘導球流下部へ向けて下り傾斜する傾斜面を有することを特徴とする。
【００１７】
請求項６に記載の発明によれば、第２載置部が傾斜面を有するから、移送部材が第２状態になった時に、第１載置部に載置された遊技球が別の遊技球によって弾き出されても、第２載置部に留まることができる。そのため、これら２つの遊技球を効率よく球流入部へ流下させることができる。
また、第２載置部に載置された遊技球が第２載置部の傾斜面によって誘導球流下部に誘導されるから、その遊技球を球流入部へ効率よく流下させることができる。
【発明の効果】
【００１８】
本発明によれば、球誘導領域部によって移送部材の第１載置部に誘導されて、その第１載置部に載置された遊技球は、第１載置部から誘導球流下部を通って球流入部へと流下する。一方、球誘導領域部によって誘導されることなく遊技領域を流下した遊技球は、第２載置部に載置されて、第２載置部から誘導球流下部を通って球流入部へと流下する。従って、球誘導領域部によって誘導される遊技球及び球誘導領域部によって誘導されることなく遊技領域を流下した遊技球を、球流入部へ効率よく誘導することができる。
【図面の簡単な説明】
【００１９】
【図１】本発明を適用した一実施の形態の構成を示す遊技機の遊技盤の正面図である。
【図２】遊技機に備わるセンターケース、移送部材及び入賞装置の斜視図である。
【図３】センターケース、移送部材及び入賞装置の斜視図である。
【図４】センターケースの下部、移送部材及び入賞装置の正面図である。
【図５】センターケースの下部及び移送部材の断面図である。
【図６】移送部材の斜視図である。
【図７】移送部材の正面図である。
【図８】移送部材の側面図である。
【図９】センターケースから移送部材を取り外した状態の分解斜視図である。
【図１０】移送部材の動作及び遊技球の動きを示した断面図である。
【図１１】移送部材の動作及び遊技球の動きを示した側面図である。
【図１２】移送部材の動作及び遊技球の動きを示した正面図である。
【図１３】入賞装置の正面図である。
【図１４】入賞装置の上面図である。
【図１５】入賞装置の分解斜視図である。
【図１６】入賞装置のベースの正面図である。
【図１７】入賞装置のベースの上面図である。
【図１８】入賞装置の動作及び遊技球の動きを示した正面図である。
【図１９】入賞装置の前面部材の斜視図である。
【図２０】前面部材の背面図である。
【図２１】入賞装置の揺動部材の斜視図である。
【図２２】入賞装置の要部の正面図である。
【図２３】入賞装置の動作及び遊技球の動きを示した正面図である。
【図２４】第１の変形例における揺動部材の斜視図である。
【図２５】同変形例における揺動部材の正面図である。
【図２６】同変形例における入賞装置の上面図である。
【図２７】同変形例における入賞装置の要部の正面図である。
【図２８】（ａ）は第２の変形例における入賞装置の始動入賞口等の上面図であり、（ｂ）は同変形例における揺動部材の正面図である。
【図２９】（ａ）は第２の変形例における入賞装置の始動入賞口等の上面図であり、（ｂ）は同変形例における揺動部材の正面図である。
【図３０】第３の変形例における揺動部材の斜視図である。
【発明を実施するための形態】
【００２０】
以下に、本発明を実施するための形態について図面を用いて説明する。但し、以下に述べる実施形態には、本発明を実施するために技術的に好ましい種々の限定が付されているが、発明の範囲を以下の実施形態及び図示例に限定するものではない。
【００２１】
ここでは、本発明にかかる遊技機の適例としてのパチンコ遊技機について説明を行う。図１は、遊技機１０に備わる遊技盤５０の正面図である。
この遊技機１０が遊技盤５０を備え、遊技盤５０の前面には、ガイドレール５３が設けられている。ガイドレール５３が略円形枠状に設けられ、ガイドレール５３によって囲われた略円形状の遊技領域５１が遊技盤５０の前面に形成されている。遊技領域５１は、遊技盤５０の四隅に各々設けられた樹脂製のサイドケース５２及びガイドレール５３によって構成される。
【００２２】
遊技盤５０にセンターケース７０が取り付けられ、このセンターケース７０が遊技領域５１のほぼ中央に配置されている。センターケース７０の左右には、それぞれ普通図柄始動ゲート５４が設けられている。センターケース７０の左下側には、三つの一般入賞口５５が配置され、センターケース７０の右下側には、一つの一般入賞口５５が配置されている。また、センターケース７０の下側には、入賞装置２０が設けられている。入賞装置２０は始動入賞口（球流入部）２５及び普通変動入賞装置３０を有する。始動入賞口２５は、センターケース７０の下側に配設されている。また、始動入賞口２５の直下には、開閉可能な開閉翼（開閉部材）３２を備える普通変動入賞装置３０が配設されている。さらに、普通変動入賞装置３０の下方には、前後に回動して遊技球を受け入れない状態と受け入れ易い状態とに変換可能な特別変動入賞装置（大入賞口）５８が配設される。特別変動入賞装置５８の下方であって遊技領域５１の最下部には、アウト口５９が設けられている。この他、遊技領域５１には、打球方向変換部材としての風車６０、多数の障害釘（図示略）などが配設されている。
【００２３】
また、遊技盤５０の右下には、セグメント型表示器などからなる普図表示器４２および特図表示器４３が設けられている。普図表示器４２は、遊技球が普通図柄始動ゲート５４を通過した場合に行われる普図変動表示ゲームが表示される。特図表示器４３には、遊技球が始動入賞口２５または普通変動入賞装置３０に入賞した場合に行われる特図変動表示ゲームが表示される。
【００２４】
また、センターケース７０に窓部７１が形成され、窓部７１の後方には、変動表示ゲームをなす特図変動表示ゲームに対応して複数の識別情報を変動表示する飾り特図変動表示ゲームを実行可能な変動表示装置としての表示装置４１が配されるようになっている。この表示装置４１がセンターケース７０の窓部７１を介して遊技盤５０の前面側から視認可能となるように配されている。表示装置４１は、液晶ディスプレイ、ＥＬディスプレイ、ＣＲＴその他のディスプレイである。
【００２５】
本実施形態の遊技機１０では、図示しない発射装置から遊技領域５１に向けて遊技球（パチンコ球）が打ち出されることによって遊技が行われる。打ち出された遊技球は、遊技領域５１内の各所に配置された障害釘や風車６０等の方向転換部材によって転動方向を変えながら遊技領域５１を流下し、普通図柄始動ゲート５４、一般入賞口５５、始動入賞口２５、普通変動入賞装置３０又は特別変動入賞装置５８に入賞するか、アウト口５９へ流入し遊技領域５１から排出される。
【００２６】
普通変動入賞装置３０の状態には、開閉翼３２の開閉によって、遊技球が入賞しやすい状態と遊技球が入賞しない状態とがある。通常、開閉翼３２は閉状態であり、普通変動入賞装置３０は、遊技球が入賞しない状態にされている。一方、普通図柄始動ゲート５４を遊技球が通過することによって、普図表示器４２で普図変動表示ゲームが実行され、普図変動表示ゲームの結果、当たり状態が発生すると、開閉翼３２が開状態に変換され、普通変動入賞装置３０は遊技球が入賞し易い状態となる。
【００２７】
一般入賞口５５への遊技球の入賞は、一般入賞口５５に設けられた一般入賞口スイッチ（図示省略）によって検出される。始動入賞口２５への遊技球の入賞は特図始動スイッチによって、普通変動入賞装置３０への遊技球の入賞は特図始動スイッチによって検出される。この遊技球の通過タイミングによって抽出された特別図柄乱数カウンタ値は、遊技制御装置内の特図記憶領域（ＲＡＭの一部）に特別図柄入賞記憶として所定回数（例えば、最大で４回分）を限度に記憶される。そして、この特別図柄入賞記憶の記憶数は、特別図柄入賞記憶数表示部（複合記憶表示部）４４に表示される。遊技制御装置は、特別図柄入賞もしくはその記憶に基づいて、特図表示器４３で特図変動表示ゲームを行う。
【００２８】
始動入賞口２５または普通変動入賞装置３０への入賞が所定のタイミングでなされたとき（具体的には、入賞検出時の当たり乱数値が当たり値であるとき）には、特図表示器４３において特図変動表示ゲームの結果として特定の結果態様（特別結果態様）が導出されて、大当たり状態となる。これに応じて、特別変動入賞装置５８は、内蔵されている大入賞口ソレノイドが駆動されることによって、所定の時間だけ遊技球を受け入れない閉状態から遊技球を受け入れやすい開状態に変換され、遊技者は多くの賞球を獲得することができるという特典が付与される。
【００２９】
特別変動入賞装置５８への遊技球の入賞は、カウントスイッチによって検出される。普通図柄始動ゲート５４への遊技球の通過は、普図始動スイッチで検出される。この遊技球の通過タイミングによって抽出された普通図柄乱数カウンタ値は、遊技制御装置内の普図記憶領域（ＲＡＭの一部）に普通図柄入賞記憶として所定回数（例えば、最大で４回分）を限度に記憶される。そして、この普図入賞記憶の記憶数は、普図入賞記憶数表示部（複合記憶表示部）４４に表示される。
【００３０】
普図入賞記憶があると、遊技制御装置は、普図入賞記憶に基づいて普図入賞記憶数表示部で普図変動表示ゲームを開始する。すなわち、普通図柄始動ゲート５４への通過検出が所定のタイミングでなされたとき（具体的には、通過検出時の普図乱数カウンタ値が当たり値であるときには）には、普図表示器４２において普図変動表示ゲームの結果として特定の結果態様（特別結果態様）が表示される当たり状態で停止し、当たり状態となる。このとき、開閉翼３２は、内蔵されている駆動機構３３によって駆動されることにより、所定の時間だけ開放するように変換され、遊技球の普通変動入賞装置３０への入賞が許容される。
【００３１】
上記のようにして、一般入賞口５５、始動入賞口２５、普通変動入賞装置３０又は特別変動入賞装置５８に遊技球が入賞すると、入賞した入賞口の種類に応じた数の賞球が払出制御装置によって制御される払出ユニットから、前面枠の上皿又は下皿に排出される。
【００３２】
＜センターケース７０の説明＞
図２、図３は、センターケース７０、始動入賞口２５及び普通変動入賞装置３０等の斜視図である。図４は、センターケース７０の下部、始動入賞口２５及び普通変動入賞装置３０等の正面図である。
図２、図３、図４に示すように、センターケース７０は枠状に設けられ、センターケース７０の後部開口が窓部７１となっている。センターケース７０の後部が、遊技盤５０のほぼ中央部に形成された開口に嵌め込まれ、センターケース７０の前部が、遊技盤５０の前面よりも前方に突出している。
【００３３】
センターケース７０の前部であってその左右両側には、ワープ入口７２がそれぞれ形成されている。ワープ入口７２は、センターケース７０の外面で開口した状態に設けられている。また、センターケース７０の左右両側には、略筒状のワープ通路７３がそれぞれ設けられている。ワープ通路７３は前後に延在し、ワープ通路７３の前側端部がワープ入口７２に通じている。センターケース７０の内側であってワープ通路７３の後ろ側端部にはワープ出口が設けられ、ワープ通路７３の後ろ側端部がワープ出口に通じており、そのワープ出口がセンターケース７０の後部においてセンターケース７０の内側に通じている。ワープ入口７２、ワープ通路７３及びワープ出口の内径は、少なくとも１個の遊技球が通過可能な寸法に設定されており、具体的には、例えば、１個の遊技球が通過可能な程度の寸法に設定されている。
【００３４】
センターケース７０の外側において上から流下してきた遊技球がワープ入口７２に流入すると、その遊技球はワープ通路７３を通過して、センターケース７０の奥部へ向かって誘導されて、ワープ出口からセンターケース７０の内側に排出される。
【００３５】
センターケース７０の前部開口部には、盤状枠部７９が設けられている。盤状枠部７９は、センターケース７０の前部開口部から外側に突出するようフランジ状に設けられているとともに、遊技盤５０の前面に沿うように設けられている。盤状枠部７９は、センターケース７０の前部開口部のうち下半分を囲うように設けられている。
【００３６】
センターケース７０の内側であって表示装置４１の下方には、センターケース７０の内側に受け入れられた遊技球を転動可能であるとともに、受け入れられた遊技球を再び遊技領域５１へと流下させる球転動領域部７４が設けられている。また、センターケース７０の左右中央部の下部には、球転動領域部７４を転動する遊技球を始動入賞口２５に向けて誘導する球誘導領域部８０が設けられている。また、センターケース７０の左右中央部の下部には、球誘導領域部８０によって誘導された遊技球を始動入賞口２５まで移送する移送部材９０が取り付けられている。
【００３７】
＜球転動領域部７４の説明＞
球転動領域部７４は、センターケース７０の底壁上面に設けられている。球転動領域部７４は、第１転動部７５、壁部７６、丸め部７７及び第２転動部７８を有する。第１転動部７５は、センターケース７０の前部開口寄りに位置する面である。第１転動部７５は、前後方向に所定の幅をもって左右方向に延在するとともに、正面から見て波状に設けられている。第２転動部７８は、前後方向に所定の幅をもって左右方向に延在する。第２転動部７８は、第１転動部７５の後ろ側に位置するとともに、第１転動部７５よりも高い位置にある。第２転動部７８の前後方向の幅は、第１転動部７５の前後方向の幅よりも広くなっている。壁部７６は、第１転動部７５の後端から上方に起立した状態に設けられている。丸め部７７は、第２転動部７５の前端から壁部７６の上端に至る面である。そして、丸め部７７は、前に向かって下るように湾曲した凸面である。
【００３８】
第２転動部７８は、左右対称に設けられている。ここで、第２転動部７８は、ステージ部７８１と、ステージ部７８１の左右両側にそれぞれ位置する傾斜面７８２と、を有する。
【００３９】
左の傾斜面７８２が、左から中央部に向かって徐々に低くなる弧状に形成され、右の傾斜面７８２が、右から中央部に向かって徐々に低くなる弧状に形成されている（図１参照）。ステージ部７８１は、左の傾斜面７８２の右端から右の傾斜面７８２の左端にかけて設けられている。ステージ部７８１は凹面状に設けられ、ステージ部７８１の左端や右端から中央部に向かって下りに僅かに傾斜している。ステージ部７８１の手前側部分には、ステージ部７８１よりも上方に向けて起立した起立壁部７８４が形成されている。従って、ステージ部７８１を転動する遊技球が手前側にこぼれ落ちてしまうことが抑制されているとともに、該遊技球をステージ部７８１の左右方向中央に向けて好適に案内可能となっている。
【００４０】
第２転動部７８の左端部及び右端部の上方に、ワープ通路７３のワープ出口が配置され、ワープ通路７３のワープ出口より流出された遊技球は該第２転動部７８を転動することとなる。具体的には、左の傾斜面７８２の左部奥部分の上方に、左のワープ通路７３のワープ出口が配置され、右の傾斜面７８２の右部奥部分の上方に、右のワープ通路７３のワープ出口が配置されている。そのため、それぞれのワープ通路７３のワープ出口より流出された遊技球は、傾斜面７８２を中央に向けて転動することになる。傾斜面７８２を転動する遊技球は、傾斜面７８２からステージ部７８１に移ったり、傾斜面７８２から前にこぼれ落ちたりする。
【００４１】
ステージ部７８１の奥部分には、左右一対の凸部７８３が凸設されている。これら凸部７８３は、ステージ部７８１の左右方向中央よりも左右にずれた位置に配置されている。ステージ部７８１を転動する遊技球が凸部７８３に当たると、その遊技球の転動する向きが前方に変換される。
【００４２】
第２転動部７８から前にこぼれ落ちた遊技球は第１転動部７５を転動する。この第１転動部７５は、左右対称に設けられている。ここで、第１転動部７５は、中央部の丘状部７５１と、丘状部７５１の左右両側にそれぞれ位置する第１傾斜面７５２と、左の第１傾斜面７５２の左側と右の第１傾斜面７５２の右側にそれぞれ位置する第２傾斜面７５３と、を有する。
【００４３】
左の第２傾斜面７５３が、左から中央部に向かって徐々に低くなる弧状に形成され、右の第２傾斜面７５３が、右から中央部に向かって徐々に低くなる弧状に形成されている。左の第１傾斜面７５２が、左から中央部に向かって徐々に低くなる弧状に形成され、右の第１傾斜面７５２が、右から中央部に向かって徐々に低くなる弧状に形成されている。丘状部７５１は、上に凸となるように設けられている。
【００４４】
また、第１転動部７５は、第１転動部７５を転動する遊技球をセンターケース７０の下方の遊技領域５１に流下可能な流下部７５４を有する。流下部７５４は、丘状部７５１と第１傾斜面７５２の間に形成されている。流下部７５４は、前に向かって下りに傾斜している。流下部７５４の左右方向の位置は、始動入賞口２５及び普通変動入賞装置３０の左右方向の位置から左右にずれている。そのため、流下部７５４から下に流下した遊技球が、障害釘等によって方向転換されずに真下に流下した場合には、その遊技球が始動入賞口２５及び普通変動入賞装置３０に入賞しない。
【００４５】
＜球誘導領域部８０の説明＞
図５は、センターケース７０の左右方向中央の下部における縦断面図である。図４、図５に示すように、球誘導領域部８０は、第１転動部７５を転動する遊技球を受け入れる第１受入口８１と、第２転動部７８を転動する遊技球を受け入れる第２受入口８２と、第１転動部７５を転動する遊技球を第１受入口８１に通して、後述の誘導通路８５に案内する第１案内部８３と、第２転動部７８を転動する遊技球を第２受入口８２に通して、誘導通路８５に案内する第２案内部８４と、第１案内部８３や第２案内部８４によって案内された遊技球を移送部材９０に誘導する誘導通路８５と、装飾部材８８と、を有する。
【００４６】
第１受入口８１は、第１転動部７５の後ろ側において壁部７６及び丸め部７７に形成されている。第１受入口８１の左右方向の位置は、第１転動部７５の左右方向中央に相当する位置である。つまり、第１受入口８１は、丘状部７５１の左右方向中央の頂上の後ろ側において壁部７６及び丸め部７７に形成されている。
【００４７】
第１案内部８３は、第１転動部７５の左右方向中央に形成されている。具体的には、第１案内部８３は、丘状部７５１の左右方向中央の頂上から第１受入口８１内にかけて形成されている。この第１案内部８３は、後ろに向かって下りに傾斜したＶ溝であり、第１転動部７５を転動する遊技球が第１案内部８３によって後ろに向かって第１受入口８１内に案内される。
【００４８】
第２受入口８２は、第２転動部７８の左右方向中央に形成されている。具体的には、第２受入口８２は、ステージ部７８１の左右方向中央であってその前部に形成されている。
【００４９】
第２案内部８４は、第２受入口８２の後ろ側において第２転動部７８に形成されている。具体的には、第２案内部８４は、ステージ部７８１の左右方向中央に形成されている。この第２案内部８４は、前に向かって下りに傾斜したＶ溝であり、第２転動部７８を転動する遊技球が第２案内部８４によって前に向かって第２受入口８２へ案内されて、第２受入口８２内に落ちる。
【００５０】
誘導通路８５は、第１受入口８１の後ろ側であって第２受入口８２の下側に設けられている。ここで、誘導通路８５の入口８６が上側にあり、誘導通路８５の出口８７が前側にあり、誘導通路８５は、左又は右から見て、その入口８６から出口８７にかけてＬ字状に設けられている。誘導通路８５の入口８６が第２受入口８２に連なっている。第１受入口８１が第２受入口８２及び誘導通路８５の入口８６に通じ、第１案内部８３の後縁が誘導通路８５の入口８６の縁の一部を構成している。誘導通路８５の出口８７は、第１受入口８１よりも下方に配置されているとともに、盤状枠部７９の後方においてセンターケース７０の前面に形成されている。
【００５１】
第１受入口８１、第２受入口８２及び誘導通路８５の内径は、少なくとも１個の遊技球が通過可能な寸法に設定されており、具体的には、例えば、１個の遊技球が通過可能な程度の寸法に設定されている。
【００５２】
第１案内部８３によって第１受入口８１に入った遊技球は、誘導通路８５の入口８６に落ちる。また、第２受入口８２に落ちた遊技球は、更に、誘導通路８５の入口８６に落ちる。誘導通路８５の入口８６に入った遊技球は、誘導通路８５によって出口８７まで誘導されて、出口８７から排出される。
【００５３】
盤状枠部７９の左右方向中央部であって誘導通路８５の出口８７の前方には、切欠き部８９が形成されている。この切欠き部８９に装飾部材８８が嵌められ、切欠き部８９が装飾部材８８によって塞がれている。装飾部材８８が誘導通路８５の出口８７よりも前方に配置され、装飾部材８８によって誘導通路８５の出口８７が塞がれていない。出口８７の前方に装飾部材８８が配置されているから、出口８７から出た遊技球の勢いが大きくとも、遊技球が装飾部材８８に当たるので、遊技球が前方に飛び出ることが抑制される。そのため、出口８７から排出された遊技球は、移送部材９０へ向かって流下する。
【００５４】
＜移送部材９０の説明＞
図６は、移送部材９０の斜視図であり、図７は、移送部材９０の正面図であり、図８は、移送部材９０の側面図である。図９は、センターケース７０から移送部材９０を取り外した状態の分解斜視図である。図６〜図９に示すように、移送部材９０は、回動軸９１によって、誘導通路８５の出口８７においてセンターケース７０に取り付けられている。この移送部材９０は、起立した起立状態（図２参照）と前に倒れた前倒状態（図３〜図５参照）との間で、振り上げ・振り下げ可能に設けられている。なお、起立状態が第１状態であり、前倒状態が第２状態である。
【００５５】
移送部材９０は、筒状軸部９２、錘部９３、アーム部９４、第１球受け部９５、第１載置部９６、第２載置部９７及び誘導球流下部９８を有する。
【００５６】
筒状軸部９２が筒状に設けられており、この筒状軸部９２の中空となる軸孔９２１に回動軸９１が挿入される。筒状軸部９２や移送部材９０のラジアル荷重が回動軸９１に受けられ、筒状軸部９２が回動軸９１を中心にして回動可能に設けられている。軸孔９２１及び回動軸９１の軸心に沿う方向が遊技盤５０の左右方向となる。
【００５７】
錘部９３は、筒状軸部９２に一体に設けられているとともに、筒状軸部９２から回動軸９１の径方向外側に延出している。錘部９３は取付穴９３１を有し、この取付穴９３１が回動軸９１と平行となって錘部９３を貫通している。取付穴９３１に錘を別途取り付けられるようになっている。なお、取付穴９３１に錘を取り付けなくてもよい。
【００５８】
アーム部９４は錘部９３に一体形成されている。また、アーム部９４は、錘部９３から筒状軸部９２を乗り越えるようにして、回動軸９１に関して錘部９３の反対側に延出している。筒状軸部９２が回動軸９１を中心にして回動可能に設けられているので、アーム部９４は起立した状態と前に倒伏した状態とに振り上げ・振り下げ可能に設けられている。つまり、移送部材９０が前倒状態になっていると、アーム部９４が回動軸９１から前方に延出して倒伏した状態になり、移送部材９０が起立状態になっていると、アーム部９４が回動軸９１から上方に延出して起立した状態になる。
【００５９】
第１球受け部９５は、アーム部９４の先端部に設けられている。第１球受け部９５は、回動軸９１及び軸孔９２１の軸線に平行な面である。移送部材９０が前倒状態になっている場合には、第１球受け部９５がアーム部９４の先端部から下に垂下して振り下げられた状態になっており、その第１球受け部９５が下に向かって後ろに傾斜する面となる。一方、移送部材９０が起立状態になっている場合には、第１球受け部９５がアーム部９４の先端部から前に向かって延出して振り上げられた状態になっており、その第１受け部９５が前に向かって下りに僅かに傾斜した面となる。
【００６０】
第１載置部９６は、第１球受け部９５に連なった第２球受け部９６１と、第２球受け部９６１に連なった球止め部９６２と、を有する。
第２球受け部９６１は、第１球受け部９５の先に設けられている。第２球受け部９６１は、回動軸９１及び軸孔９２１の軸線に平行な凹面である。球止め部９６２は、第２球受け部９６１の先に設けられている。移送部材９０が起立状態になっている場合には、第２球受け部９６１が前に向かって上りに傾斜した面となるとともに、球止め部９６２が球受け部８６１から上に延び出て起立した状態になる。
一方、移送部材９０が前倒状態になっている場合には、第２球受け部９６１が前に向かって下りに傾斜した面となるとともに、球止め部９６２が球受け部８６１から前に略水平に延び出て、倒伏した状態になる。
【００６１】
第１載置部９６の左右両側には、羽根状の第２載置部９７がそれぞれ設けられている。具体的には、右の第２載置部９７が第２球受け部９６１及び球止め部９６２の右端から右に延出するように設けられ、左の第２載置部９７が第２球受け部９６１及び球止め部９６２の左端から左に延出するように設けられている。また、第２載置部９７は、球止め部９６２よりも回動軸９１の径方向外側に延出している。従って、移送部材９０が起立した状態では、第２載置部９７が起立した状態になり、移送部材９０が前倒した状態では、第２載置部９７が前倒した状態になる。
【００６２】
第２載置部９７は、球止め部９６２に対して傾斜する。具体的には、移送部材９０が前倒状態となっている場合には、右の第２載置部９７は左に向かって下りに傾斜し、左の第２載置部９７は右に向かって下りに傾斜する。一方、移送部材９０が起立状態になっている場合には、右の第２載置部９７は右に向かって後ろに傾斜し、左の第２載置部９７は左に向かって後ろに傾斜する。
【００６３】
また、第２載置部９７及び球止め部９６２によって囲われた門型状の空洞が形成され、この空洞が誘導球流下部９８である。誘導球流下部９８の縁のうち球止め部９６２によって縁取られた部分が円弧状に設けられており、球止め部９６２によって止められた遊技球が誘導球流下部９８内に転がりやすくなっている。
【００６４】
＜移送部材９０のセンターケース７０への取付の説明＞
図４、図５、図９に示すように、誘導通路８５の出口８７の近傍には、ストッパ１００及び左右一対の軸受部１０１が配設されている。
【００６５】
軸受部１０１は、センターケース７０の前面下部から下方に延出するように設けられている。軸受部１０１は、誘導通路８５の出口８７の前側であってその出口８７の下に配置されている。これら軸受部１０１は左右に間隔を置いて配設されており、これらの間隔は、移送部材９０の筒状軸部９２、錘部９３、アーム部９４、第１球受け部９５及び第１載置部９６の左右方向の幅（回動軸９１の軸心に沿う方向の幅）に等しく、又はその幅よりも僅かに広い。正面から見て、これら軸受部１０１の間の上方に、誘導通路８５の出口８７が配置されている。
【００６６】
軸受部１０１には軸受孔１０２が形成されている。軸受孔１０２は、軸受部１０１を左右に貫通している。軸受孔１０２の位置は、誘導通路８５の出口８７の僅かに前方であってその下側である。
【００６７】
移送部材９０の筒状軸部９２が左右の軸受部１０１の間に挟まれ、回動軸９１が左右の軸受孔１０２及び軸孔９２１に挿入されている。移送部材９０及び回動軸９１のラジアル荷重が軸受部１０１に受けられ、筒状軸部９２が回動可能に設けられている。これにより、この移送部材９０が振り上げ・振り下げ可能に設けられている。なお、筒状軸部９２が左右方向の軸の回りに回動可能となって軸受部１０１に取り付けられていれば、このような構造に限るものではない。例えば、回動軸９１と筒状軸部９２が一体成形されていてもよいし、回動軸９１と筒状軸部９２が固定されていてもよい。また、軸受部１０１に軸受孔１０２が設けられているのではなく、ピン（軸）が軸受部１０１にそれぞれ設けられ、これらピンが同軸となっており、これらピンが筒状軸部９２の軸孔９２１に挿入されていてもよい。
【００６８】
移送部材９０が起立した状態で、第１球受け部９５、第２球受け部９６１及び球止め部９６２が誘導通路８５の出口８７の下方且つ前方に位置するように、移送部材９０のアーム部９４の長さや軸受孔１０２の位置が設定されている。そのため、起立した状態の移送部材９０は、誘導通路８５の出口８７から排出された遊技球をキャッチできる状態となっている。また、移送部材９０が前倒した状態で、誘導球流下部９８が始動入賞口２５の上に位置するように、移送部材９０のアーム部９４の長さや軸受孔１０２の位置が設定されている。そのため、前倒した状態の移送部材９０は、第１載置部９６や第２載置部９７に載置された遊技球を誘導球流下部９８を通じて流下できる状態となっている。
【００６９】
ストッパ１００は、センターケース７０の前面下部から下方に延出するように設けられている。ストッパ１００は、誘導通路８５の出口８７の下に配置されている。また、ストッパ１００は回動軸９１よりも後方に配置され、ストッパ１００の下端が回動軸９１よりも上に位置している。
【００７０】
＜移送部材９０の動き＞
図１０、図１１は、遊技球の動きとともに移送部材９０の動作を示した図面である。図１２は、遊技球の動きを示した図面である。
移送部材９０の重量（錘部９３に錘を別途取り付けた場合には、移送部材９０及び錘の重量）の分布については、回動軸９１に関して錘部９３側の部分の重量が、第２載置部９７側の部分の重量よりも重い。従って、移送部材９０の重心（錘部９３に錘を別途取り付けた場合には、移送部材９０及び錘の全体として重心）は、回動軸９１から錘部９３側にずれている。
【００７１】
従って、この移送部材９０は自然状態では起立している（図１０（ａ）、図１１（ａ）参照）。移送部材９０が起立状態となっていると、第２載置部９７が軸受部１０１の前面に当接し、第２載置部９７が後ろに倒れるのが抑止され、第２載置部９７及び球止め部９６２が起立した状態になっている。このような起立状態においては、第２載置部９７、第２球受け部９６１及び球止め部９６２が回動軸９１の上斜め前に位置している。
【００７２】
移送部材９０は、起立状態となっていると、誘導通路８５の出口８７から排出された遊技球をキャッチする（図１０（ａ）、図１１（ａ）参照）。つまり、誘導通路８５の出口８７から排出された遊技球が第１載置部９６に載置される。具体的には、誘導通路８５の出口８７から排出された遊技球は、第１球受け部９５及び第２球受け部９６１によって受けられるとともに球止め部９６２に止められる。第１球受け部９５が前に向かって下るように僅かに傾斜しているから、遊技球の荷重が球止め部９６２に掛かり、移送部材９０が前に倒れる向きのモーメントが作用する（図１１（ａ）参照）。また、球止め部９６２に止められた遊技球が誘導球流下部９８内に一部入り込んでいるが、その遊技球が球止め部９６２によって止められているから、その遊技球がそれ以上前に移動することを抑えることができる。
【００７３】
その後、移送部材９０は、キャッチした遊技球の重さ・勢いによって前に倒れて、その遊技球を始動入賞口２５の近傍にまで移送する（図１０（ｂ）、（ｃ）、図１１（ｂ）、（ｃ）、図１２（ａ）参照）。具体的には、遊技球が第２球受け部９６１及び球止め部９６２に載置された状態で移送部材９０が前に倒れて、その遊技球が始動入賞口２５のすぐ上にまで移送される。移送部材９０が前に倒れると、錘部９３がストッパ１００に当たって、移送部材９０がそれ以上倒れることが抑えられる（図１０（ｃ）参照）。そのため、移送部材９０の第２球受け部９６１、球止め部９６２及び第２載置部９７等が始動入賞口２５に衝突せず、始動入賞口２５の損傷を防止することができる。
【００７４】
なお、移送部材９０が起立した状態で、別の遊技球（球誘導領域部８０によって誘導されていない遊技球）が移送部材９０の側方から移送部材９０の前方に流れてきた時に、誘導通路８５の出口８７から排出された遊技球が移送部材９０にキャッチされて、第１載置部９６に載置されたとする。その時には、その別の遊技球によって移送部材９０の前倒が抑えられるので、移送部材９０の前倒が遅延する。そのため、その別の遊技球が移送部材９０の前方から側方に流れた後に、移送部材９０が前倒し、移送部材９０の第１載置部９６に載置された遊技球が始動入賞口２５の近傍に移送される。
【００７５】
また、移送部材９０は、前倒状態となることで、その遊技球を始動入賞口２５に落とす（図１０（ｃ）、図１１（ｃ）の矢印参照）。具体的には、移送部材９０が前倒状態となってストッパ１００によって止まると、第２球受け部９６１及び球止め部９６２に受けられていた遊技球に慣性力が作用し、その遊技球が誘導球流下部９８内を通って始動入賞口２５に落ちる。また、遊技球に作用する慣性力が弱くとも、第２球受け部９６１が前に向かって下るように傾斜しているから、第２球受け部９６１及び球止め部９６２に受けられていた遊技球の重心が誘導球流下部９８側へ傾き、第２球受け部９６１及び球止め部９６２に受けられていた遊技球が転動し初めて、誘導球流下部９８内を通って始動入賞口２５に落ちる。従って、移送部材９０が前倒状態となるのとほぼ同時に、遊技球が誘導球流下部９８内を通って始動入賞口２５に落ちるから、遊技球を効率よく始動入賞口２５に入賞することができる。
【００７６】
図１２（ａ）に示すように、移送部材９０が前倒状態となっている時に、別の遊技球（球誘導領域部８０によって誘導されていない遊技球）が移送部材９０の側方から移送部材９０に流れてきた場合には、移送部材９０は当該別の遊技球を受けて、誘導通路８５の出口８７から排出された先の遊技球に続けて始動入賞口２５に落とす。具体的には、移送部材９０が前倒状態となっている時には、第２載置部９７が前に倒れた状態となっているから、移送部材９０の側方から移送部材９０に流れてきた別の遊技球が第２載置部９７の上に一旦載置される。そして、第２球受け部９６１及び球止め部９６２に受けられていた遊技球が誘導球流下部９８内を通って始動入賞口２５に落ちるのに続けて、第２載置部９７に載置された別の遊技球が誘導球流下部９８内を通って始動入賞口２５に落ちる（図１２（ｂ）の矢印参照）。そのため、移送部材９０が前倒状態となっている時には、第２球受け部９６１及び球止め部９６２に受けられていた遊技球だけでなく、移送部材９０の側方から第２載置部９７に流れた遊技球も、効率よく始動入賞口２５に入賞することができる。特に、第２載置部９７が誘導球流下部９８及び始動入賞口２５に向かって下りに傾斜しているから、移送部材９０の側方から第２載置部９７に流れた遊技球が第２載置部９７を転動して、効率よく誘導球流下部９８に流下する。
【００７７】
ここで、移送部材９０が前倒状態となっている時に、第２球受け部９６１及び球止め部９６２に受けられていた遊技球が誘導球流下部９８内に一部入り込んでいる。そのため、移送部材９０の側方から第２載置部９７に流れた遊技球が、第２球受け部９６１及び球止め部９６２に受けられていた遊技球に衝突しても、第２球受け部９６１及び球止め部９６２に受けられていた遊技球が弾き出されることなく、誘導球流下部９８の下の方に押し込まれる（図１２（ｂ）参照）。そのため、第２球受け部９６１及び球止め部９６２に受けられていた遊技球が効率よく始動入賞口２５に入賞することができる。
【００７８】
また、移送部材９０の側方から一方の第２載置部９７に流れた遊技球が、第２球受け部９６１及び球止め部９６２に受けられていた遊技球に衝突し、その遊技球が他方の第２載置部９７に弾き出されることもある。その場合でも、第２載置部９７が誘導球流下部９８及び始動入賞口２５に向かって下りに傾斜しているから、弾き出された遊技球が第２載置部９７よりも更に側方に飛ばされにくい。従って、一方の第２載置部９７に載置された遊技球が一方の第２載置部９７の傾斜によって一方の第２載置部９７を転動して、誘導球流下部９８に流下するのに続けて、他方の第２載置部９７に弾き出された遊技球が他方の第２載置部９７の傾斜によって他方の第２載置部９７を転動して、誘導球流下部９８に流下する。
【００７９】
移送部材９０が前倒状態となっている場合に、遊技球が移送部材９０に受けられていないと、移送部材９０は、錘部９３の重量によるモーメントによって後ろに起き上がる（図１１（ｄ）、（ｅ）参照）。即ち、遊技球が第２球受け部９６１及び球止め部９６２に受けられておらず、更に、第２載置部９７にも遊技球が載置されていないと、移送部材９０が後ろに起き上がる。
【００８０】
以上のように、移送部材９０及び錘部９３の重さ、遊技球の重さ・勢いによって、移送部材９０が前に倒れたり、後ろに起き上がったりするから、移送部材９０を動かすための制御装置、センサ、駆動機構等を設けなくても済む。そのため、コストを抑制することができる。
【００８１】
＜入賞装置２０の説明＞
図１３は、入賞装置２０の正面図である。図１４は、入賞装置２０の上面図である。図１５は、入賞装置２０の分解斜視図である。
【００８２】
図１３〜図１５に示すように、この入賞装置２０は、扇形板状のベース２１を有する。
ベース２１の前面に普通変動入賞装置３０の球受け部材３１及び一対の開閉翼（開閉部材）３２が取り付けられている。この球受け部材３１は、その上側と後ろ側で開口したポケット状に設けられている。即ち、球受け部材３１は、上側で開口するとともに、前又は後ろから見て略円弧状を成した球受け部３１１と、球受け部３１１の前側を塞いだ状態にして球受け部３１１の前部に設けられた前面部３１２と、を有する。球受け部３１１の後端面がベース２１の前面に当接した状態で、球受け部３１１がベース２１に固定されている。球受け部３１１とベース２１の固定はネジ、爪、接着剤、ピンその他の止め部材によってなされる。
【００８３】
図１６は、ベース２１の正面図である。図１５、図１６に示すように、ベース２１には、球受入部２１１が形成されている。球受入部２１１はベース２１を前後に貫通した開口であり、球受け部材３１の内側に通じている。ベース２１の後面には、誘導樋２１２が設けられている。この誘導樋２１２が球受入部２１１に通じている。そのため、球受け部材３１の上から球受け部材３１内に流下した遊技球は、球受け部材３１によって受けられて、後方に転動して球受入部２１１を通って誘導樋２１２に誘導される。これにより、普通変動入賞装置３０への入賞がなされる。誘導樋２１２の後部に特図始動スイッチ３３５が設けられており、普通変動入賞装置３０への遊技球の入賞が特図始動スイッチ３３５によって検出される。
【００８４】
開閉翼３２は、球受け部材３１の内側において球受入部２１１の左右両側に配設されている。これら開閉翼３２が、遊技球を受け入れない閉状態と遊技球を受け入れやすい開状態とに開閉可能に設けられている。具体的には、開閉翼３２は以下のように取り付けられている。
【００８５】
開閉翼３２の先端と基端の間の部分には、貫通孔３２１が形成されている。一方、球受け部材３１の内側には、左右一対の支持軸３１３が設けられている。これら支持軸３１３は、前面部３１２の後面から後方に向けて延び出ているとともに、互いに平行に設けられている。また、これら支持軸３１３は、前後方向に対して平行に設けられている。支持軸３１３が開閉翼３２の貫通孔３２１に挿入され、開閉翼３２が前面部３１２とベース２１の間に配置され、開閉翼３２の先端側が球受け部材３１の上側開口から上方に突出している。開閉翼３２のラジアル荷重が支持軸３１３に受けられ、開閉翼３２が支持軸３１３の回りに回動可能に設けられている。これら開閉翼３２は、互いの先端が離れる向きに支持軸３１３を中心にして回動して開く。一方、これら開閉翼３２は、互いの先端が近づく向きに支持軸３１３を中心にして回動して閉じる。なお、図１６に示すように、ベース２１の前面には、係止孔２１３が形成されており、支持軸３１３の先端部が係止孔２１３に嵌め込まれ、支持軸３１３が両持ち梁状に支持されるから、開閉翼３２をしっかり支持することができる。
【００８６】
図１５に示すように、普通変動入賞装置３０は駆動機構３３を有し、開閉翼３２の開閉動作は駆動機構３３によってなされる。駆動機構３３は、ソレノイド３３１と、左右一対のアーム３３２と、を有する。ソレノイド３３１は、ベース２１の後面に取り付けられている。アーム３３２の基端（後端）がソレノイド３３１に連結されている。これらアーム３３２は、ソレノイド３３１から前方に延びており、球受入部２１１に通されている。これらアーム３３２は球受入部２１１内の左右両側にそれぞれ配置されているので、遊技球はこれらアーム３３２の間を通って球受入部２１１内に誘導される。
【００８７】
アーム３３２の先端（前端）が開閉翼３２の基端に連結されている。具体的には、アーム３３２の先端に把持部３３３が設けられ、開閉翼３２の基端にピン３２２が設けられ、ピン３２２が把持部３３３によって把持されている。
【００８８】
これらアーム３３２が上下に揺動可能に設けられている。これらアーム３３２は、ソレノイド３３１によって同期して上下動する。ソレノイド３３１がアーム３３２を上に駆動すると、一対の開閉翼３２は互いの基端が近づく向きに支持軸３１３を中心にして回動し、これら開閉翼３２の先端側が開く。一方、ソレノイド３３１がアーム３３２を下に駆動すると、一対の開閉翼３２は互いの基端が離れる向きに支持軸３１３を中心にして回動し、これら開閉翼３２の先端側が閉じる。
【００８９】
ソレノイド３３１の動作は制御部によってなされる。すなわち、普通図柄始動ゲート５４を遊技球が通過することによって、普図表示器４２で普図変動表示ゲームが実行され、普図変動表示ゲームの結果、当たり状態が発生すると、制御部がソレノイド３３１を作動して、開閉翼３２がソレノイド３３１によって開かれる。
【００９０】
図１８は、普通変動入賞装置３０の動きを示した図面である。図１８（ａ）及び図１３に示すように、左右の開閉翼３２が閉じた状態では、これら開閉翼３２の互いに向き合う面３２３が左右方向に対して略垂直になっている。一方、図１８（ｂ）、（ｃ）に示すように、左右の開閉翼３２が開いた状態では、これら開閉翼３２の互いに向き合う面３２３は、左右方向の中央に向かって下りに傾斜する。従って、左右の開閉翼３２が開いた状態では、開閉翼３２の上や開閉翼３２の側方から流れてきた遊技球が開閉翼３２の面３２３に受けられ、その遊技球が開閉翼３２の面３２３によって中央に向かって転動するので、開閉翼３２の面３２３が転動面となる。
【００９１】
図１３〜図１５に示すように、ベース２１の前面上部には、球流入部としてのポケット部２３が設けられている。ポケット部２３の上面が開口しており、その開口が始動入賞口２５である。ポケット部２３は、普通変動入賞装置３０の球受け部材３１の上方に配置されている。
【００９２】
ここで、ポケット部２３は、球受入部２３１及び前面部材２３２を有する。ポケット部２３は、球受入部２３１に前面部材２３２を組み付けてなる。
【００９３】
球受入部２３１は、ベース２１と一体形成されているとともに、ベース２１の前面から前方に突出するように設けられている。正面から見て、球受入部２３１の上側が開口し、球受入部２３１がカップ状に設けられている。また、球受入部２３１の前側も開口している。前面部材２３２は、球受入部２３１の前側を塞いだ状態にして球受入部２３１の前端面に組み付けられたものである。
【００９４】
図１９は、前面部材２３２を後ろ斜め上から見て示した斜視図である。図２０は、前面部材２３２の背面図である。図１９、図２０に示すように、この前面部材２３２においては、フロント板２３３の後面の左右両側縁から下縁にかけて枠部２３４が設けられており、枠部２３４がフロント板２３３の後面から後方に向けて突出している。正面又は背面から見て、枠部２３４が球受入部２３１と同一形状を成しており、枠部２３４の後端面が球受入部２３１の前端面に当接している。枠部２３４の後端面には、複数のピン２３５が凸設されており、一方、球受入部２３１の前端面には、嵌合穴２３６が凹設されており（図１５、図１６参照）、ピン２３５が嵌合穴２３６に嵌め込まれることによって、前面部材２３２が球受入部２３１の前端面に組み付けられている。
【００９５】
前面部材２３２の後面の左右中央部には、リブ２３７が凸設されている。リブ２３７の上面２３８が、後ろに向かって下りに傾斜している。リブ２３７の上面２３８が傾斜しているから、ポケット部２３の上方から始動入賞口２５内に流下した遊技球がリブ２３７の上面２３８に当たって後ろに誘導される。
【００９６】
図１６に示すように、ベース２１の上端部には、球受入口２１４が形成されている。球受入口２１４は、球受入部２３１によって囲繞されている。従って、ポケット部２３の上方からポケット部２３の始動入賞口２５内に流下した遊技球は、球受入部２３１内に受けられて、球受入部２３１によって球受入口２１４内へ転動する。
【００９７】
ベース２１の後面には、誘導樋２１５が設けられている。この誘導樋２１５が球受入口２１４に通じている。従って、球受入口２１４を通った遊技球は、誘導樋２１５によって後方に誘導される。
【００９８】
誘導樋２１５の後端には、入賞通路２１６が設けられている。この入賞通路２１６は、誘導樋２１５の後端から右方に延びている。従って、誘導樋２１５によって後方に誘導された遊技球は、入賞通路２１６によって右に誘導される。なお、例えば球受入口２１４、誘導樋２１５又は入賞通路２１６に特図始動スイッチ（図示略）が設けられており、始動入賞口２５への遊技球の入賞が特図始動スイッチによって検出される。
【００９９】
図１３に示すように、左右の開閉翼３２の間には、揺動羽根（揺動部材）３４が配置されている。揺動羽根３４は開閉翼３２の支点、すなわち支持軸３１３の上方の位置から垂下しており、左右に揺動可能に設けられている。具体的には、揺動羽根３４は、以下のようにしてベース２１に取り付けられている。
【０１００】
図１５に示すように、ポケット部２３の底、すなわち、球受入部２３１の底には、前後方向に長尺なスリット３５が形成されている。このスリット３５は、球受入部２３１の底を上下に貫通している。また、スリット３５は、球受入部２３１の前端から球受入部２３１の後端（ベース２１の前面）にかけて形成されており、球受入部２３１の前端面において開放している。スリット３５内には、揺動軸２１７が配置されている。揺動軸２１７は、スリット３５内において前後に延在しており、揺動軸２１７の後端がベース２１の前面に連接している。また、揺動軸２１７の左右方向の位置は左右の支持軸３１３の中間であり、揺動軸２１７の上下方向の位置は支持軸３１３の上方である。
【０１０１】
図２１は、揺動羽根３４の斜視図であり、揺動羽根３４の頭部３４１には、軸孔３４２が形成されている。揺動羽根３４の頭部３４１がスリット３５内に配置され、揺動軸２１７が軸孔３４２に挿入されて貫通し、揺動羽根３４が揺動軸２１７から垂下している。なお、スリット３５及び揺動軸２１７が揺動部材設置部に相当する。
【０１０２】
揺動羽根３４のラジアル荷重が揺動軸２１７に受けられ、揺動羽根３４が揺動軸２１７の回りに回動可能に設けられている。図１９、図２０に示すように、前面部材２３２の枠部２３４の後端面であってその下端部には、差込口２３９が凹設されており、揺動軸２１７の先端が差込口２３９に差し込まれている。
【０１０３】
図２２は、球受け部材３１及び前面部材２３２を取り外した状態の入賞装置２０の正面図である。
揺動羽根３４の頭部３４１がポケット部２３内に臨んでいる。具体的には、揺動羽根３４の頭部３４１がスリット３５からポケット部２３の底（球受入部２３１の底）よりも上方に突き出ている。そのため、ポケット部２３内に流下した遊技球が揺動羽根３４の頭部３４１に当たる。
【０１０４】
揺動羽根３４は揺動軸２１７から真下に垂下した状態から左右に揺動するが、その揺動範囲が以下のように制限されている。図１６に示すように、揺動軸２１７の下方において、ベース２１の前面にガイド溝２１８が形成されている。このガイド溝２１８は、正面から見て、揺動軸２１７を中心にして円弧状に設けられているとともに、左右対称に設けられている。一方、図２１に示すように、揺動羽根３４の後面にピン３４３が凸設されており、ピン３４３がガイド溝２１８に挿入されている。こうして、揺動羽根３４の回動範囲が、ピン３４３及びガイド溝２１８によって制限されている。
【０１０５】
揺動羽根３４が揺動軸２１７から真下に垂下した状態では、ピン３４３がガイド溝２１８の左右中央部に位置する。
揺動羽根３４が左に回動して、ピン３４３がガイド溝２１８の左端２１８ａに当接したら、揺動羽根３４がそれ以上左に回動することが規制される。この場合、ガイド溝２１８の左端２１８ａがストッパとして機能する。ピン３４３がガイド溝２１８の左端２１８ａに当接した場合の、揺動羽根３４の位置を左位置という。揺動羽根３４が左位置に位置し、且つ、左右の開閉翼３２が開いている場合には、揺動羽根３４の先端（下端）から左の開閉翼３２の内側の面３２３までの距離が、遊技球の直径未満に設定されているとともに、揺動羽根３４の先端（下端）から右の開閉翼３２の内側の面３２３までの距離が、遊技球の直径以上に設定されている。
揺動羽根３４が右に回動して、ピン３４３がガイド溝２１８の右端２１８ｂに当接したら、揺動羽根３４がそれ以上右に回動することが規制される。この場合、ガイド溝２１８の右端２１８ｂがストッパとして機能する。ピン３４３がガイド溝２１８の右端２１８ｂに当接した場合の、揺動羽根３４の位置を右位置という。揺動羽根３４が右位置に位置し、且つ、左右の開閉翼３２が開いた場合には、揺動羽根３４の先端から右の開閉翼３２の内側の面３２３までの距離が、遊技球の直径未満に設定されているとともに、揺動羽根３４の先端から左の開閉翼３２の内側の面３２３までの距離が、遊技球の直径以上に設定されている。
【０１０６】
揺動羽根３４の揺動範囲を制限する揺動範囲制限部がガイド溝２１８及びピン３４３を有するものとしたが、他の形態によって揺動羽根３４の揺動範囲を制限してもよい。例えば、ベース２１の前面であってガイド溝２１８の左端２１８ａに対応する位置にストッパが凸設され、ベース２１の前面であってガイド溝２１８の右端２１８ｂに対応する位置にストッパが凸設されていてもよい。この場合には、揺動羽根３４が左位置まで揺動すると、揺動羽根３４が左のストッパに当接し、揺動羽根３４が右位置まで揺動すると、揺動羽根３４が右のストッパに当接する。
【０１０７】
＜入賞装置２０の遊技盤５０への取付の説明＞
移送部材９０の下側において、開口が遊技盤５０に形成され、ベース２１がその開口を閉塞するとともにベース２１の後面が遊技盤５０の前面に当接した状態で、ベース２１が遊技盤５０に取り付けられている。そのため、ポケット部２３及び球受け部材３１が遊技盤５０の前面よりも前方に突出しており、誘導樋２１２，２１５及び入賞通路２１６が遊技盤５０の後面よりも後方に突出している。駆動機構３３のソレノイド３３１が遊技盤５０の後ろに取り付けられ、アーム３３２がベース２１の球受入部２１１を通って遊技盤５０の前に延出している。開閉翼３２及び揺動羽根３４は、遊技盤５０の前側に配置される。
【０１０８】
＜入賞装置２０の動作と遊技球の動き＞
図１８に示すように、左右の開閉翼３２が駆動機構３３によって開閉される。左右の開閉翼３２が開いた状態で、遊技球が左の開閉翼３２に流下すると、その遊技球が左の開閉翼３２の内側の面３２３に受けられて中央に転動する（図１８（ｂ））。そして、遊技球が揺動羽根３４に当たって、揺動羽根３４が遊技球によって押されて右に回動する。この際、遊技球の勢いが揺動羽根３４によって抑えられるので、遊技球が勢いよく右の開閉翼３２から流出してしまうことを防止することができる。特に、ピン３４３がガイド溝２１８の右端２１８ｂに当接すると、揺動羽根３４がそれ以上右に回動することが抑えられるから、遊技球が揺動羽根３４によって止められるから、遊技球が効率よく右の開閉翼３２を乗り越えることを抑えることができる。ピン３４３がガイド溝２１８の右端２１８ｂに当接した状態では、揺動羽根３４の先端と右の開閉翼３２の面３２３との距離が遊技球の直径未満であるから、遊技球が揺動羽根３４の先端と開閉翼３２の隙間を通過することもない。
【０１０９】
揺動羽根３４によって勢いを抑えられた遊技球は、揺動羽根３４によって球受け部３１１及び球受入部２１１に誘導される。即ち、揺動羽根３４によって勢いを抑えられた遊技球は、転動向きを揺動羽根３４によって下に変換され、左の開閉翼３２から球受け部３１１に落ちて（図１８（ｃ））、球受入部２１１を通って誘導樋２１２によって誘導される。
【０１１０】
一方、遊技球が右の開閉翼３２の内側の面３２３に受けられると、遊技球の勢いが揺動羽根３４によって抑えられつつ、ピン３４３がガイド溝２１８の左端２１８ａに当接するまで、揺動羽根３４が遊技球によって左に回動する。そして、勢いの抑えられた遊技球が右の開閉翼３２から球受け部３１１に落ちて、球受入部２１１を通って誘導樋２１２によって誘導される。
【０１１１】
図２３（ａ）に示すように、遊技球Ａが左の開閉翼３２に流下して、揺動羽根３４が右に回動している時に、別の遊技球Ｂが右の開閉翼３２に流下した場合には、その遊技球Ｂは右に回動した状態の揺動羽根３４に受けられ、その遊技球Ｂが揺動羽根３４と右の開閉翼３２の間に一旦保持される。それゆえ、遊技球Ａと遊技球Ｂが開閉翼３２の間に詰まってしまうこと（いわゆる、球ガミの発生）を抑えることができる。
その後は、先の遊技球Ａが左の開閉翼３２から球受け部３１１に落ちるとともに、揺動羽根３４が左に回動し、遊技球Ｂが先の遊技球Ａに続けて右の開閉翼３２から球受け部３１１に落ちる。
【０１１２】
図２２に示すように、左右の開閉翼３２が駆動機構３３によって閉じている時に、２つの遊技球Ｃ，Ｄがほぼ同時に左右の開閉翼３２にそれぞれ流下すると、これら遊技球Ｃ，Ｄが左右の開閉翼３２の間に挟まれて、これら遊技球Ｃ，Ｄが詰まってしまう可能性が若干存在する。このような球ガミが発生した時には、遊技球Ｃと遊技球Ｄの間に揺動羽根３４が挟まれている。しかし、この際、別の遊技球Ｅが始動入賞口２５に入賞し、ポケット部２３内に流下すると、その遊技球Ｅが揺動羽根３４の頭部３４１に当たる。これにより、揺動羽根３４が揺動し、詰まった遊技球Ｃ，Ｄや開閉翼３２に振動が与えられる。そのため、遊技球Ｃ，Ｄが球受け部３１１に落ちて、球ガミが解消される。
【０１１３】
以下、変形例について説明する。
【０１１４】
＜第１の変形例＞
図２４は、変形例における揺動羽根３４の斜視図であり、図２５は、この揺動羽根３４の正面図である。図２４、図２５に示すように、揺動羽根３４の頭部３４１の頭頂面には、左右一対の突条３４４が設けられている。これら突条３４４の間が溝３４５として設けられている。これら突条３４４は、軸孔３４２に平行な方向、つまり、前後方向に延在している。
【０１１５】
図２６は、変形例における入賞装置２０の前部の上面図である。図２７は、球受け部材３１及び前面部材２３２を取り外した状態の変形例の入賞装置２０の正面図である。図２６、図２７に示すように、突条３４４がポケット部２３内に臨んでいる。揺動羽根３４が左右に振れずに真下に垂下している状態では、突条３４４の間の溝３４５が軸孔３４２の直上に位置している。
【０１１６】
左右一対の突条３４４が凸設されているから、ポケット部２３内に流下した遊技球が突条３４４に当たりやすい。そのため、球ガミが発生している時には、遊技球がポケット部２３内に流下すると、揺動羽根３４が揺動し、球ガミが解消される。特に、球ガミが発生している場合には、揺動羽根３４が右又は左に振れた状態となっているから、どちらかの突条３４４が揺動軸２１７のほぼ真上に位置して、遊技球が突条３４４に当たって揺動羽根３４に振動を与えやすくなっている。
【０１１７】
また、左右一対の突条３４４が前後に延在しているから、ポケット部２３内に流下した遊技球が突条３４４やそれらの間の溝３４５によって後ろに案内される。特に、揺動羽根３４が左右に振れてない状態で、遊技球がポケット部２３内に流下すると、その遊技球を効率よく後ろに案内することができる。
【０１１８】
なお、前後に長尺な突条３４４が揺動羽根３４の頭部３４１に形成されているが、その他の形状の突起が揺動羽根３４の頭部３４１に形成されていてもよい。
【０１１９】
＜第２の変形例＞
変形例１では、突条３４４が直線状に前後に延在している。それに対し、図２８（ａ）、図２９（ａ）の上面図に示すように、突条３４４がクランク状に設けられていてもよい。具体的には、突条３４４の前部３４４ａと後部３４４ｃが前後に直線状に延在し、前部３４４ａと後部３４４ｃの間の部分３４４ｂ（以下、中間部３４４ｂという。）が後ろに向かって右に傾斜している。ここで、揺動羽根３４が左右に振れずに真下に垂下している状態では、上又は前から見て、左右の突条３４４の前部３４４ａの間の部分が軸孔３４２よりも左にずれているとともに、左右の突条３４４の後部３４３ｃの間の部分が軸孔３４２よりも右にずれている。
【０１２０】
突条３４４がこのような形状を成していることによって、ポケット部２３内に流下した遊技球Ｆが突条３４４やそれらの間の溝３４５によって後ろに案内される際に、揺動羽根３４が揺動する。具体的には、ポケット部２３内に流下した遊技球Ｆがリブ２３７の上面２３８によって後ろに送られ、図２８（ａ）に示すように左右の突条３４４の前部３４４ａの間の上に位置する。そうすると、図２８（ｂ）に示すように、揺動羽根３４が左に振れる。これは、左右の突条３４４の前部３４４ａの間の部分が軸孔３４２よりも左にずれているからである。
【０１２１】
そして、遊技球Ｆが後ろに送られると、遊技球Ｆが左右の突条３４４の中間部３４４ｂの間によって後ろに案内される。中間部３４４ｂが斜めに設けられているから、遊技球Ｆの動きによって揺動羽根３４が右に揺動する。
そして、遊技球Ｆが左右の突条３４４の後部３４４ｃの間の上に位置すると、揺動羽根３４が右に振れた状態になる。
以上のように、遊技球Ｆが後ろに転がることによって、揺動羽根３４が揺動するから、球ガミを更に効率よく解消することができる。
【０１２２】
なお、突条３４４の中間部３４４ｂが後ろに向かって左に傾斜していてもよい。また、突条３４４が蛇行し、突条３４４の間の溝３４５が蛇行していてもよい。また、変形例１，２においては、左右一対の突条３４４が形成されることでそれらの間に溝３４５が形成されていたが、突条３４４が形成されずに、頭部３４１に溝３４５が凹設されていてもよい。また、変形例１，２では、左右一対の突条３４４が形成されているが、１つの突条３４４が形成されているだけでもよい。
【０１２３】
＜第３の変形例＞
図３０は、変形例における揺動羽根３４の斜視図である。図３０に示すように、揺動羽根３４の頭部３４１の頭頂面には、リブ３４６が凸設されている。リブ３４６の上面３４７が、後ろに向かって下りに傾斜している。
【０１２４】
この揺動羽根３４においても、ポケット部２３内に流下した遊技球がリブ３４６に当たって、揺動羽根３４が左右に揺動する。そのため、球ガミが発生している時には、揺動羽根３４の揺動によって、球ガミが解消される。
また、リブ３４６の上面３４７が後ろに向かって下りに傾斜しているから、ポケット部２３内に流下した遊技球をリブ３４６の上面３４７によって後ろに誘導させることができる。
【０１２５】
以上、本発明の実施形態及び変形例を図面を用いて説明したが、本発明は上記実施形態及び変形例に限定されない。
例えば、上記実施形態では、第１載置部９６に載置された遊技球の重みで移送部材９０を前倒させるように回動させ、移送部材９０及び錘部９３の重みで移送部材９０を後ろに起こし上げるように回動させたが、モーター、ソレノイドその他の駆動源によって移送部材９０を前後に回動させてもよい。
また、錘部９３の重みではなく、ばね等の弾性部材によって移送部材９０を起こし上げるように回動させ、第１載置部９６に載置された遊技球の重みで移送部材９０を前倒させるように回動させるようにしてもよい。
【符号の説明】
【０１２６】
１０  遊技機
２５  始動入賞口（球流下部）
７４  球転動領域部
８０  球誘導領域部
９０  移送部材
９６  第１載置部
９７  第２載置部
９８  誘導球流下部
【図１】
2011000179.tif 000003
【図２】
2011000179.tif 000004
【図３】
2011000179.tif 000005
【図４】
2011000179.tif 000006
【図５】
2011000179.tif 000007
【図６】
2011000179.tif 000008
【図７】
2011000179.tif 000009
【図８】
2011000179.tif 000010
【図９】
2011000179.tif 000011
【図１０】
2011000179.tif 000012
【図１１】
2011000179.tif 000013
【図１２】
2011000179.tif 000014
【図１３】
2011000179.tif 000015
【図１４】
2011000179.tif 000016
【図１５】
2011000179.tif 000017
【図１６】
2011000179.tif 000018
【図１７】
2011000179.tif 000019
【図１８】
2011000179.tif 000020
【図１９】
2011000179.tif 000021
【図２０】
2011000179.tif 000022
【図２１】
2011000179.tif 000023
【図２２】
2011000179.tif 000024
【図２３】
2011000179.tif 000025
【図２４】
2011000179.tif 000026
【図２５】
2011000179.tif 000027
【図２６】
2011000179.tif 000028
【図２７】
2011000179.tif 000029
【図２８】
2011000179.tif 000030
【図２９】
2011000179.tif 000031
【図３０】
2011000179.tif 000032